(57)【要約】【課題】視聴者が番組の内容を効率よく把握することを可能とする番組選択支援システムを提供すること。【解決手段】番組本編に対するダイジェスト情報を送信するダイジェスト情報送信部と、番組本編を送出する番組本編送信部と、番組本編に対するダイジェスト情報を受信するダイジェスト情報受信部と、前記ダイジェスト情報を蓄積するダイジェスト情報蓄積部と、番組本編を受信する番組本編受信部と、前記ダイジェスト情報と前記番組本編の提示を切り替える提示切替部とを備え、チャンネル選択時に、番組本編の代わりにダイジェスト情報を提示することにより、放送番組の内容を視聴者が容易に把握することが可能となるので、番組の視聴、録画、購入率の向上を図ることができる。【選択図】図１
2005184473.tif 000002
【特許請求の範囲】
【請求項１】
放送される番組の視聴者による選択を支援する番組選択支援送信装置であって、
番組本編に対するダイジェスト情報を送信するダイジェスト情報送信部と、
番組本編を送出する番組本編送信部とを備える番組選択支援送信装置。
【請求項２】
前記ダイジェスト情報送信部は、
ダイジェスト情報を受信機に蓄積するために必要な補助情報を生成する蓄積補助情報生成部と、
前記補助情報とダイジェスト情報から、受信機に伝送するための蓄積データを生成する蓄積データ生成部と、
前記蓄積データを受信機へ送信する蓄積データ送信部と、
蓄積データの送信スケジュールを管理するスケジュール管理部と、を備える請求項１に記載の番組選択支援送信装置。
【請求項３】
前記番組本編送信部は、
ダイジェスト情報を受信機に蓄積するために必要な補助情報を生成する蓄積補助情報生成部と、
前記補助情報とともに、番組本編の再生に必要な情報から番組情報を生成する番組情報生成部と、
前記番組情報と番組本編を受信機に送信する番組送信部と、
番組の送信スケジュールを管理するスケジュール管理部と、を備える請求項１に記載の番組選択支援送信装置。
【請求項４】
放送される番組の視聴者による選択を支援する番組選択支援受信装置であって、
番組本編に対するダイジェスト情報を受信するダイジェスト情報受信部と、
前記ダイジェスト情報を蓄積するダイジェスト情報蓄積部と、
番組本編を受信する番組本編受信部と、
前記ダイジェスト情報と前記番組本編の提示を切り替える提示切替部とを備える番組選択支援受信装置。
【請求項５】
前記ダイジェスト情報受信部は、
蓄積データを受信する蓄積データ受信部と、
受信した蓄積データを解析し、蓄積補助情報を取り出す蓄積補助情報取出部と、
受信した蓄積データを解析し、ダイジェスト情報を取り出すダイジェスト情報取出部と、を備える請求項４に記載の番組選択支援受信装置。
【請求項６】
前記番組本編受信部は、
前記番組情報と番組本編を受信する番組受信部と、
前記番組情報から、番組本編再生に必要な情報を取り出す番組情報取出部と、
前記番組情報から、関連するダイジェスト情報を読み出すために必要な番組補助情報を取り出す番組補助情報取出部と、を備え、
前記提示切替部は、
前記番組補助情報を元にダイジェスト情報を読み出すダイジェスト情報読出部と、
前記ダイジェスト情報と番組本編の提示を切り替える番組切替部と、を備える請求項４に記載の番組選択支援受信装置。
【請求項７】
前記番組切替部におけるダイジェスト情報と番組本編の切り替え条件を設定する切替条件設定部を追加した請求項６に記載の番組選択支援受信装置。
【請求項８】
前記番組切替部は、ＣＭ放送中の場合は、その終了を待ってダイジェスト情報の提示を開始するような構成とした請求項６に記載の番組選択支援受信装置。
【請求項９】
前記番組切替部は、本編番組で放送予定のＣＭをダイジェスト情報と同様に事前に受信機に蓄積しておき、ダイジェスト情報提示終了後に、続いて、前記蓄積したＣＭを提示した後、番組本編に切り替える構成とした請求項６に記載の番組選択支援受信装置。
【請求項１０】
受信機に蓄積したダイジェスト情報を、本編番組放送日時終了後に、自動的に受信機から削除するダイジェスト情報自動削除部を追加した請求項６に記載の番組選択支援受信装置。
【発明の詳細な説明】
【技術分野】
【０００１】
本発明は、地上波放送、衛星放送等のテレビジョン放送、および、テレビジョン放送システム、特に、放送される番組の視聴者による選択を支援する番組選択支援システムに関するものである。
【背景技術】
【０００２】
従来、地上波放送や衛星放送等のテレビジョン放送においては、複数の放送局から提供される番組を、受信機のチャンネルを切り替えることで視聴することができる。放送のデジタル化が進行している現状においては、選択可能なチャンネル数は数百にもおよぶため、視聴者が希望する番組を見つけ出すために、放送中の番組の内容を把握することには多大な労力を要する。
【０００３】
上記を支援する手段として、デジタル放送等にて既に運用されている番組情報が知られている。代表的なものはＥＰＧ（Ｅｌｅｃｔｒｉｃ  Ｐｒｏｇｒａｍ  Ｇｕｉｄｅ）であり、放送番組の内容を表す情報を放送波に重畳して送信し、受信機側ではこれを受信、解釈し、視聴者に提示する。例えば、新聞のテレビ欄に相当する情報、および、各番組に対するさらに詳細な情報（出演者や番組内容の概要等）を、視聴者のリモコン操作に応じて提示する。しかし、これらの番組情報はテキストで提供されているため、提供可能な情報量、および、視聴者が内容を把握するための効率性の両面で限界があった。
【０００４】
これを補うための従来の番組選択支援システムとしては、番組本編を放送するとともに、番組本編のダイジェスト映像を放送し、受信機側にてチャンネルが選択された際に、番組本編を表示する代わりに、あるいは、番組本編の表示と同時にダイジェスト映像を表示することで、番組内容の把握を容易にしているものがあった（例えば、特許文献１参照）。
【特許文献１】特開２００２−２９０８５５号公報
【発明の開示】
【発明が解決しようとする課題】
【０００５】
しかしながら、前記従来の技術では、番組本編放送中は、常時、同じ内容のダイジェスト映像を繰り返し送出しておく必要があるため、放送帯域の有効利用が図れず、また、チャンネル選択を行ったタイミングで必ずしもダイジェスト映像の先頭から視聴できるとは限らないため、視聴者が番組の内容を把握する上で効率が悪い、という課題を有していた。
【０００６】
本発明は、前記従来の課題を解決するもので、チャンネル選択時に、放送中の番組の詳細情報を効率よく視聴者に提示可能とした番組選択支援システムを提供することを目的とする。
【課題を解決するための手段】
【０００７】
前記従来の課題を解決するために、本発明の番組選択支援システムは、番組本編に対応するダイジェスト情報を送信するダイジェスト情報送信部と、前記ダイジェスト情報を受信するダイジェスト情報受信部と、前記受信したダイジェスト情報を蓄積するダイジェスト情報蓄積部を有し、番組本編の代わりに、ダイジェスト情報の提示を行う。
【０００８】
本構成によって、放送帯域を浪費することなく、また、チャンネル選択時に必ずダイジェスト映像を先頭から視聴者に提示可能となるので、番組内容の把握を効率的に行うことができる。
【０００９】
本発明は、放送される番組の視聴者による選択を支援する番組選択支援送信装置であって、番組本編に対するダイジェスト情報を送信するダイジェスト情報送信部と、番組本編を送出する番組本編送信部とを備えた番組選択支援送信装置を提供する。
【００１０】
本発明の一実施の形態において、前記ダイジェスト情報送信部は、ダイジェスト情報を受信機に蓄積するために必要な補助情報を生成する蓄積補助情報生成部と、前記補助情報とダイジェスト情報から、受信機に伝送するための蓄積データを生成する蓄積データ生成部と、前記蓄積データを受信機へ送信する蓄積データ送信部と、蓄積データの送信スケジュールを管理するスケジュール管理部とを備える。
【００１１】
本発明の一実施の形態において、前記番組本編送信部は、ダイジェスト情報を受信機に蓄積するために必要な補助情報を生成する蓄積補助情報生成部と、前記補助情報とともに、番組本編の再生に必要な情報から番組情報を生成する番組情報生成部と、前記番組情報と番組本編を受信機に送信する番組送信部と、番組の送信スケジュールを管理するスケジュール管理部とを備える。
【００１２】
本発明はまた、放送される番組の視聴者による選択を支援する番組選択支援受信装置であって、番組本編に対するダイジェスト情報を受信するダイジェスト情報受信部と、前記ダイジェスト情報を蓄積するダイジェスト情報蓄積部と、番組本編を受信する番組本編受信部と、前記ダイジェスト情報と前記番組本編の提示を切り替える提示切替部とを備えた番組選択支援受信装置を提供する。
【００１３】
本発明の一実施の形態において、前記ダイジェスト情報受信部は、前記蓄積データを受信する蓄積データ受信部と、受信した蓄積データを解析し、蓄積補助情報を取り出す蓄積補助情報取出部と、受信した蓄積データを解析し、ダイジェスト情報を取り出すダイジェスト情報取出部とを備える。
【００１４】
本発明の一実施の形態において、前記番組本編受信部は、前記番組情報と番組本編を受信する番組受信部と、前記番組情報から、番組本編再生に必要な情報を取り出す番組情報取出部と、前記番組情報から、関連するダイジェスト情報を読み出すために必要な番組補助情報を取り出す番組補助情報取出部とを備え、前記提示切替部は、前記番組補助情報を元にダイジェスト情報を読み出すダイジェスト情報読出部と、前記ダイジェスト情報と番組本編の提示を切り替える番組切替部とを備える。
【００１５】
本発明の一実施の形態において、上記番組選択支援受信装置において、前記番組切替部におけるダイジェスト情報と番組本編の切り替え条件を設定する切替条件設定部を追加する。
【００１６】
本発明の一実施の形態において、前記番組切替部は、ＣＭ放送中の場合は、その終了を待ってダイジェスト情報の提示を開始するような構成とする。
【００１７】
本発明の一実施の形態において、前記番組切替部は、本編番組で放送予定のＣＭをダイジェスト情報と同様に事前に受信機に蓄積しておき、ダイジェスト情報提示終了後に、続いて、前記蓄積したＣＭを提示した後、番組本編に切り替える構成とする。
【００１８】
本発明の一実施の形態において、上記番組選択支援受信装置において、受信機に蓄積したダイジェスト情報を、本編番組放送日時終了後に、自動的に受信機から削除するダイジェスト情報自動削除部を追加する。
【００１９】
本発明はまた、上述の番組選択支援送信装置および／または番組選択支援受信装置を備えた番組選択支援システムを包含する。
【００２０】
本発明はまた、これらに関する方法、およびこれを実現するためのプログラム、ならびにこれを記録した記録媒体を包含する。
【発明の効果】
【００２１】
本発明の番組選択支援システムによれば、チャンネル選択時に、放送番組の内容を視聴者が容易に把握することが可能となるので、番組の視聴、録画、購入率の向上を図ることができる。
【発明を実施するための最良の形態】
【００２２】
以下本発明の実施の形態について、図面を参照しながら説明する。
【００２３】
（実施の形態１）
図１は、本発明の実施の形態１における番組選択支援システムの概略を示す概略構成図である。
【００２４】
図１において、放送局側で、今後放送される番組本編に対するダイジェスト情報１０１（例えば、番組予告ＣＭや、これまでのストーリーの要約等で、数十秒から数分程度の短い映像）を、番組本編の放送日時以前に、ダイジェスト情報送信部１０２が所定の放送チャンネルを介して放送する。
【００２５】
受信機側では、前記放送されたダイジェスト情報を、ダイジェスト情報受信部１０３が受信し、取得したダイジェスト情報をダイジェスト情報蓄積部１０４が、受信機に搭載されているハードディスクドライブ等の大容量記憶装置（以下、ＨＤＤと呼ぶ）に蓄積する。蓄積されたダイジェスト情報１０５は、番組本編が放送されるまで、受信機に格納された状態となる。
【００２６】
続いて、番組本編の放送日時になると、放送局側で、番組本編１０６を、番組本編送信部１０７が所定の放送チャンネル（前記ダイジェスト情報を放送したチャンネルと同じチャンネルでも、異なるチャンネルでも可）を介して放送する。
【００２７】
受信機側では、視聴者が、前記番組本編が放送されているチャンネルを選択すると、前記番組本編を番組本編受信部１０８が受信する。提示切替部１０９は、受信した前記番組本編に対応するダイジェスト情報１０５をＨＤＤより読み出し、番組本編の代わりにＴＶモニタ等を介して視聴者に提示する。ダイジェスト情報の再生が終了すると、視聴者に提示する内容を受信中の番組本編に切り替える。
【００２８】
かかる構成によれば、番組本編の放送日時以前に放送し、受信機に蓄積したダイジェスト情報を、番組本編の放送時に、番組本編の提示前に視聴者に提示することにより、番組本編の内容を容易に把握することができるため、番組の視聴、録画、購入率の向上を図ることができる。また、番組本編の放送日時以前の放送休止期間や、別番組放送時の余剰帯域を利用してダイジェスト情報を放送し、受信機に蓄積しておくことができ、番組本編の放送時間中に繰り返し放送する必要がないので、放送帯域の有効利用が可能となる。
【００２９】
図１の概略構成を、より詳細に以下に説明する。
【００３０】
まず、番組本編の見どころを短時間にまとめたダイジェスト情報を、番組本編の放送開始日時以前に、事前に受信機に送信し、蓄積させる動作を説明する。
【００３１】
図２は、本発明の実施の形態１の番組選択支援システムにおける、ダイジェスト情報蓄積部分（図１の（Ａ）で示される破線に囲まれた部分）の構成を示すブロック図である。図２において、図１と同じ構成要素については同じ符号を用い、説明を省略する。
【００３２】
本実施の形態では、ダイジェスト情報は、社団法人電波産業会（ＡＲＩＢ）にて規格化されている「サーバー型放送における符号化、伝送及び蓄積制御方式  標準規格  ＡＲＩＢ  ＳＴＤ−Ｂ３８  １．０版」（平成１５年２月発行  以下、ＡＲＩＢ  ＳＴＤ−Ｂ３８と呼ぶ）に準拠した方式で蓄積されるものとし、本発明に直接関与しない部分についての説明は省略する。なお、ＡＲＩＢ  ＳＴＤ−Ｂ３８以外の方式で受信機に蓄積する場合にも、本発明が同様の効果を有することは明らかである。
【００３３】
図１におけるダイジェスト情報送信部１０２は、より詳しくは、図２における蓄積補助情報生成部２０１、蓄積データ生成部２０２、蓄積データ送信部２０３、スケジュール管理部２０４から構成される。
【００３４】
図１におけるダイジェスト情報受信部１０３は、より詳しくは、図２における蓄積データ受信部２０５、蓄積補助情報取出部２０６、ダイジェスト情報取出部２０７から構成される。
【００３５】
放送局側では、蓄積補助情報生成部２０１は、ダイジェスト情報１０１を受信機に蓄積するために必要な補助情報を生成する。前記補助情報とは、受信機内での蓄積ロケーション（受信機に搭載されるＨＤＤのどのディレクトリにどんなファイル名で蓄積するか）であり、受信機側で、本ダイジェスト情報にアクセスする際に使用される。本実施の形態では、蓄積ロケーションを“／ｄｉｇｅｓｔ／２００３０９３０／１９００／ｃ０１．ｔｓ”とする。蓄積ロケーションは、ＡＲＩＢ  ＳＴＤ−Ｂ３８においては、ＳｔｏｒｅＲｏｏｔ記述子、ＳｕｂＤｉｒｅｃｔｏｒｙ記述子、Ｎａｍｅ記述子、および、モジュール内のリソースヘッダにて指定されるものであるが、詳細は省略する。
【００３６】
なお、前記補助情報として、蓄積ロケーション以外にも、本ダイジェスト情報を削除可能な日時、本編番組が属するジャンルに関するキーワード等を含んでもよい。
【００３７】
蓄積データ生成部２０２は、前記補助情報とダイジェスト情報１０１から、受信機に伝送するための蓄積データを生成する。
【００３８】
蓄積データ送信部２０３は、スケジュール管理部２０４の指定に従い、前記蓄積データを受信機へ送信する。
【００３９】
受信機側では、蓄積データ受信部２０５は、前記蓄積データを受信する。
【００４０】
蓄積補助情報読出部２０６は、受信した蓄積データを解析し、蓄積補助情報を取り出す。本実施例では、蓄積ロケーション“／ｄｉｇｅｓｔ／２００３０９３０／１９００／ｃ０１．ｔｓ”が取り出される。
【００４１】
ダイジェスト情報取出部２０７は、受信した蓄積データを解析し、ダイジェスト情報を取り出す。
【００４２】
ダイジェスト情報蓄積部１０４は、前記蓄積ロケーションで指定されるロケーションに、前記ダイジェスト情報を書き込む。書き込まれたダイジェスト情報を１０５で示す。
【００４３】
以上により、ダイジェスト情報が受信機のＨＤＤに格納された状態となる。
【００４４】
続いて、前記ダイジェスト情報に対応した本編番組の放送日時が到来した際の動作を説明する。
【００４５】
図３は、本発明の実施の形態１の番組選択支援システムにおける、番組本編放送部分（図１の（Ｂ）で示される破線に囲まれた部分）の構成を示すブロック図である。図３において、図１および図２と同じ構成要素については同じ符号を用い、説明を省略する。
【００４６】
本実施例では、番組本編は、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）２規格に従って符号化、伝送されるものとし、本発明に直接関与しない部分についての説明は省略する。なお、ＭＰＥＧ２規格以外の方式で放送する場合にも、本発明が同様の効果を有することは明らかである。
【００４７】
図１における番組本編送信部１０７は、より詳しくは、図３における蓄積組補助情報生成部２０１、スケジュール管理部２０４、番組情報生成部３０１、番組送信部３０２から構成される。
【００４８】
図１における番組本編受信部１０８は、より詳しくは、図３における番組受信部３０２、番組情報取出部３０４、番組補助情報取出部３０５から構成される。
【００４９】
図１における提示切替部１０９は、より詳しくは、図３におけるダイジェスト情報読出部３０６、番組切替部３０７から構成される。
【００５０】
放送局側では、蓄積補助情報生成部２０１は、番組本編に対応したダイジェスト情報に付与した補助情報を生成する。本実施例では、ダイジェスト情報送信時に付与した蓄積ロケーション“／ｄｉｇｅｓｔ／２００３０９３０／１９００／ｃ０１．ｔｓ”が生成される。
【００５１】
番組情報生成部３０１は、前記補助情報とともに、番組本編の再生に必要な情報から番組情報を生成する。ＭＰＥＧ２規格では、番組情報としてＰＳＩ（Ｐｒｏｇｒａｍ  Ｓｐｅｃｉｆｉｃ  Ｉｎｆｏｒｍａｔｉｏｎ）が規定されており、番組を構成するビデオ、オーディオ等を特定するためのＰＳＩとしてＰＭＴ（Ｐｒｏｇｒａｍ  Ｍａｐ  Ｔａｂｅｌ）がある。本実施の形態で生成するＰＭＴを図４に示す。なお、本実施の形態の説明に直接関与しない、ＰＭＴ以外のＰＳＩ情報や、ＰＭＴの構成部分は省略している。
【００５２】
図４において、ＭＰＥＧ２規格にて規定されている番組本編映像、番組本編音声を特定するための情報であるＰＩＤ（Ｐａｃｋｅｔ  Ｉｄｅｎｔｉｆｉｅｒ）に加えて、番組本編に対応するダイジェスト情報の蓄積ロケーションを追加したＰＭＴを生成する。
【００５３】
番組送信部３０２は、スケジュール管理部２０４の指示に従い、番組本編の放送開始日時が来たら、前記番組情報と番組本編１０６を受信機に送信する。
【００５４】
受信機側では、番組受信部３０３は、前記番組情報と番組本編を受信する。
【００５５】
以降の受信機側の動作を図５を用いて説明する。
【００５６】
番組情報取出部３０４は、番組受信部３０３にて受信した番組情報から、番組本編再生に必要な情報を取り出す。
【００５７】
本実施例では、ＰＭＴに含まれる番組本編の映像のＰＩＤを取得する（Ｓ５０１）。続いて、番組本編の音声のＰＩＤを取得する（Ｓ５０２）。取得したＰＩＤを持つデータを取り出すことで、番組本編を再生することが可能となる。
【００５８】
番組補助情報取出部３０５は、番組受信部３０３にて受信した番組情報から、関連するダイジェスト情報を読み出すために必要な番組補助情報を取り出す。
【００５９】
本実施例では、ＰＭＴにダイジェスト情報の蓄積ロケーションが含まれているかどうかを確認する（Ｓ５０３）。含まれている場合蓄積ロケーションを取得する（Ｓ５０５）。ダイジェスト情報読出部３０６は、受信機に搭載されているＨＤＤの、前記蓄積ロケーション“／ｄｉｇｅｓｔ／２００３０９３０／１９００／ｃ０１．ｔｓ”にアクセスし、ダイジェスト情報１０５を読み出す（Ｓ５０５）。取り出した前記ダイジェスト情報を、番組切替部３０７に出力する（Ｓ５０６）。
【００６０】
ＰＭＴに蓄積ロケーションが含まれていない場合は、従来と同様に、番組本編の映像データを、Ｓ５０１にて取得したＰＩＤにより取得する（Ｓ５０７）。続いて、番組本編の音声データを、Ｓ５０２にて取得したＰＩＤにより取得する（Ｓ５０８）。取得した番組本編の映像データ、音声データを番組切替部３０７に出力する（Ｓ５０９）。
【００６１】
番組切替部３０７は、前記読み出されたダイジェスト情報を、番組本編の代わりに、モニタ等に出力し、ダイジェスト情報の再生が終了すると、番組本編に切り替える。
【００６２】
なお、本実施の形態においては、ダイジェスト情報の再生が終了すると、番組本編に自動的に切り替えるものとしたが、ダイジェスト情報と番組本編の切り替え条件を設定する切替条件設定部を設け、切替条件設定部の指定に従って、切替を行う構成としても良い。
【００６３】
なお、本実施の形態においては、チャンネル選択直後に無条件にダイジェスト情報の提示を開始したが、ＣＭ放送中の場合は、その終了を待ってダイジェスト情報の提示を開始するような構成としても良い。あるいは、本編番組で放送予定のＣＭをダイジェスト情報と同様に事前に受信機に蓄積しておき、ダイジェスト情報提示終了後に、続いて、前記蓄積したＣＭを提示した後、番組本編に切り替える構成としても良い。
【００６４】
なお、受信機に蓄積したダイジェスト情報は、本編番組放送日時終了後に、自動的に受信機から削除する構成としても良い。この場合、ダイジェスト情報蓄積時に伝送する番組補助情報に、蓄積ロケーションとともに削除可能日時を格納しておく必要がある。
【００６５】
なお、本実施例では、ＰＭＴに蓄積ロケーションを追加する構成としたが、ＡＲＩＢにて規定されているＳＩ（Ｓｅｒｖｉｃｅ  Ｉｎｆｏｒｍａｔｉｏｎ）に蓄積ロケーションを追加することで、チャンネル選択時以外のタイミングでのダイジェスト情報の再生・活用が可能となる。例えば、ＥＩＴ（Ｅｖｅｎｔ  Ｉｎｆｏｒｍａｔｉｏｎ  Ｔａｂｌｅ）に追加することで、ＥＰＧを画面に提示した際に、テキストベースの番組詳細情報に加え、映像音声での番組紹介が再生されるようにすれば、番組の視聴選択や録画予約時に視聴者が番組内容をより詳しく把握することができる。
【産業上の利用可能性】
【００６６】
本発明にかかる番組選択支援システムは、番組本編に対応するダイジェスト情報を送信するダイジェスト情報送信部と、前記ダイジェスト情報を受信するダイジェスト情報受信部と、前記受信したダイジェスト情報を蓄積するダイジェスト情報蓄積部を有し、テレビ放送受信器の番組選択機能等として有用である。また、ブロードバンドコンテンツ受信機の番組選択機能等の用途にも応用できる。
【図面の簡単な説明】
【００６７】
【図１】本発明の実施の形態１における番組選択支援システムの概略構成図
【図２】本発明の実施の形態１における番組選択支援システムのダイジェスト情報蓄積部分の構成を示すブロック図
【図３】本発明の実施の形態１の番組選択支援システムにおける、番組本編放送部分の構成を示すブロック図
【図４】本発明の実施の形態１におけるＰＭＴの主要構成を示す図
【図５】本発明の実施の形態１における番組選択支援システムの、番組本編放送日時における受信機側での処理を示すフローチャート
【符号の説明】
【００６８】
１０１    ダイジェスト情報
１０２    ダイジェスト情報送信部
１０３    ダイジェスト情報受信部
１０４    ダイジェスト情報蓄積部
１０５    ダイジェスト情報
１０６    番組本編
１０７    番組本編送信部
１０８    番組本編受信部
１０９    提示切替部
２０１    蓄積補助情報生成部
２０２    蓄積データ生成部
２０３    蓄積データ送信部
２０４    スケジュール管理部
２０５    蓄積データ受信部
２０６    蓄積補助情報取出部
２０７    ダイジェスト情報取出部
３０１    番組情報生成部
３０２    番組送信部
３０３    番組受信部
３０４    番組情報取出部
３０５    番組補助情報取出部
３０６    ダイジェスト情報読出部
３０７    番組切替部
【図１】
2005184473.tif 000003
【図２】
2005184473.tif 000004
【図３】
2005184473.tif 000005
【図４】
2005184473.tif 000006
【図５】
2005184473.tif 000007